(57)【特許請求の範囲】
【請求項１】
静止ガントリと、
長手軸を中心に回転する回転ガントリと、
を有し、前記回転ガントリが、
第１のパワーを供給される第１のコンポーネントと、
前記第１のパワーと異なる第２のパワーを供給される第２のコンポーネントと、
非接触パワーチェーンと、
を有し、前記非接触パワーチェーンが、
前記静止ガントリから前記回転ガントリへ前記第１のパワーを伝達する第１の変換器と、
前記静止ガントリから前記回転ガントリへ前記第２のパワーを伝達する第２の変換器と、
を有し、前記第１及び前記第２の変換器が、前記長手軸に沿って互いに対し、予め決められた有限の非ゼロの距離シフトされている、イメージングシステム。
【請求項２】
前記第１及び前記第２の変換器は、回転軸に関して異なる径を有する同心リングとして、前記静止ガントリ及び前記回転ガントリ上に配される、請求項１に記載のイメージングシステム。
【請求項３】
前記第１及び前記第２の変換器の一方が、前記第１及び前記第２の変換器の他方に対し、前記長手軸に沿って回転される、請求項１又は２に記載のイメージングシステム。
【請求項４】
前記第１及び前記第２の変換器は、実質的に同様の高さを有し、前記予め決められた有限の非ゼロの距離は、前記高さの約半分に等しい、請求項１乃至３のいずれか１項に記載のイメージングシステム。
【請求項５】
前記第１の変換器は、
前記静止ガントリに固定される第１の一次巻線もつ第１の一次側と、
前記回転ガントリに固定される第１の二次巻線をもつ第１の二次側と、
を有し、前記第１の一次側及び二次側は、有限の非ゼロの幅を有する間隙によって隔てられ、
前記第２の変換器は、
前記静止ガントリに固定される第２の一次巻線をもつ第２の一次側と、
前記回転ガントリに固定される第２の二次巻線をもつ第２の二次側と、
を有し、前記第２の一次側及び二次側は、有限の非ゼロの幅を有する間隙によって隔てられている、請求項１乃至４のいずれか１項に記載のイメージングシステム。
【請求項６】
前記第２の一次側又は前記第１の二次側のうち少なくとも一方が、前記変換器の他方の前記有限の非ゼロの間隙の一部と位置合わせされて、前記静止ガントリに固定される、請求項５に記載のイメージングシステム。
【請求項７】
前記位置合わせは、前記変換器の間の磁束結合を実質的に最小にする、請求項６に記載のイメージングシステム。
【請求項８】
前記変換器は、前記間隙の一方又は両方からの漏れ磁束が他方の変換器のコアを実質的に横切るように、互いにシフトされる、請求項４乃至７のいずれか１項に記載のイメージングシステム。
【請求項９】
前記変換器の他方からの漏れ磁束をフィルタリングするフィルタを前記変換器の一方に有する、請求項１乃至８のいずれか１項に記載のイメージングシステム。
【請求項１０】
前記第１のコンポーネントは放射線源を有する、請求項１乃至９のいずれか１項に記載のイメージングシステム。
【請求項１１】
前記変換器が更に巻線及び絶縁体を有し、前記絶縁体は、予め決められた位置に前記巻線を支持する、請求項１乃至１０のいずれか１項に記載のイメージングシステム。
【請求項１２】
前記絶縁体は、前記変換器に挿入される担体を有する、請求項１１に記載のイメージングシステム。
【請求項１３】
静止ガントリと、
長手軸を中心に回転する回転ガントリと、
前記静止ガントリから前記回転ガントリへパワーを伝達する非接触パワーチェーンと、
を有し、前記非接触パワーチェーンの巻線が非樹脂の担体によって担持され、
前記非接触パワーチェーンが更に、
前記静止ガントリから前記回転ガントリへ第１のパワーを伝達する第１の変換器と、
前記静止ガントリから前記回転ガントリへ第２のパワーを伝達する第２の変換器と、
を有し、前記第１及び前記第２の変換器は、長手軸に沿って互いに対し、予め決められた有限の非ゼロの距離シフトされている、イメージングシステム。
【請求項１４】
前記非樹脂の担体がチャネル及びカバーを有する、請求項１３に記載のイメージングシステム。
【請求項１５】
前記チャネルは、開いた側面をもつＵ字型の絶縁チャネルを有し、前記カバーは、前記開いた側面をカバーし、それによって前記チャネル及び前記カバーの間の巻線を絶縁する、請求項１４に記載のイメージングシステム。
【請求項１６】
前記チャネルは、開いた側面をもつＵ字型の絶縁チャネルを有し、前記カバーは、前記開いた側面をカバーし、それによって前記巻線の位置合わせ又は固定の少なくとも一方を提供する、請求項１４に記載のイメージングシステム。
【請求項１７】
前記チャネルは更に、前記チャネルの両側の端部に接続される第１及び第２のコネクタを有し、少なくとも２つの前記担体が、前記コネクタを通じて一緒に接続される、請求項１５又は１６に記載のイメージングシステム。
【請求項１８】
前記非接触パワーチェーンが更にコアを有し、前記非樹脂の担体が、前記コアによって担持される、請求項１３乃至１７のいずれか１項に記載のイメージングシステム。
【請求項１９】
前記カバーが、前記非樹脂の担体に取り外し可能に固定される、請求項１４に記載のイメージングシステム。
【請求項２０】
前記第１及び前記第２の変換器は、回転軸に関して異なる径を有する同心リングとして、前記静止ガントリ及び前記回転ガントリ上に配される、請求項１３乃至１９のいずれか１項に記載のイメージングシステム。
【請求項２１】
イメージングシステムの静止ガントリから回転ガントリへ第１及び第２の異なるパワーを伝達するステップであって、前記イメージングシステムが、前記第１及び前記第２のパワーをそれぞれ伝達する少なくとも２つの変換器を有し、前記少なくとも２つの変換器が、長手軸に沿って互いに対し、有限の非ゼロの距離シフトされている、ステップと、
前記イメージングシステムによりオブジェクト又は被検体をスキャンするステップと、
を含む方法。
【請求項２２】
前記第１及び前記第２の変換器は、回転軸に関して異なる径を有する同心リングとして、前記静止ガントリ及び前記回転ガントリ上に配される、請求項２１に記載の方法。
【請求項２３】
前記シフトは、前記変換器の一方の一次コア及びニ次コアの間の間隙のロケーションに基づく、請求項２１又は２２に記載の方法。
【請求項２４】
前記変換器は、非樹脂の担体によって支持される巻線を有する、請求項２１乃至２３のいずれか１項に記載の方法。
【請求項２５】
イメージングシステムの静止ガントリから回転ガントリへパワーを伝達するステップであって、前記イメージングシステムが、パワーを伝達する少なくとも１つの第１の変換器を有し、前記変換器のうち少なくとも１つの巻線が、非樹脂の担体によってその中に支持されている、ステップと、
前記イメージングシステムによりオブジェクト又は被検体をスキャンするステップと、
を含み、前記イメージングシステムは、前記静止ガントリから前記回転ガントリへ第２のパワーを伝達する少なくとも第２の変換器を有し、前記第１及び前記第２の変換器は、長手軸に沿って互いに対し、予め決められた有限の非ゼロの距離シフトされている、方法。
【請求項２６】
前記非樹脂の担体が、
絶縁チャネルと、
前記絶縁チャネルに取り外し可能に固定される絶縁チャネルカバーと、
を有する、請求項２５に記載の方法。
【請求項２７】
前記非樹脂の担体が、前記変換器のコアによって保持される、請求項２５又は２６に記載の方法。
【請求項２８】
前記担体の同心の溝に前記巻線を予め位置合わせするステップを更に含む、請求項２５乃至２７のいずれか１項に記載の方法。
【請求項２９】
接着剤により前記担体に前記巻線を固定するステップを更に含む、請求項２８に記載の方法。
【発明の詳細な説明】
【技術分野】
【０００１】
本発明は、概して、非接触のパワーチェーンに関し、コンピュータトモグラフィ（ＣＴ）に対する特定のアプリケーションに関して記述される。しかしながら、本発明は、他のイメージングモダリティ及び非イメージングモダリティにも適応可能である。
【背景技術】
【０００２】
コンピュータトモグラフィ（ＣＴ）スキャナは、一般に、静止ガントリと、静止ガントリによって回転可能に支持される回転ガントリと、を有する。回転ガントリは、Ｘ線管と、検出システムと、補助コンポーネントのようなコンポーネントと、を支持する。Ｘ線管は、放射線を放出し、放射線は、検査領域（及びその中に配置される任意の被検体又はオブジェクト）を横切り、検出システムが、その放射線を検出する。回転ガントリは、スキャニングのために、静止したままであること及び検査領域の周りを回転することを交互に行なうように構成される。
【発明の概要】
【発明が解決しようとする課題】
【０００３】
Ｘ線管、及び回転ガントリによって支持される他のコンポーネントの幾つかは、動作のためにパワーを必要とする。通常、Ｘ線管及び他のコンポーネントの両方のためのパワーは、スリップリングを介して、静止ガントリから回転ガントリへ伝達される。残念ながら、スリップリング技術は、より高いパワーのスキャナのより高いパワー要求にはあまり適していない。更に、スリップリングブラシは、摩耗の影響を受けやすく、これは、信頼性を低下させうる。
【０００４】
文献は、静止ガントリから回転ガントリへパワーを伝達するために、非接触の変換器の使用を提案している。非接触の変換器を用いる場合、第１の変換器は、Ｘ線管用のより高いパワーを伝達し、第２の変換器は、他のコンポーネント用の相対的により低いパワーを伝達する。変換器の一次巻線は、静止ガントリに取り付けられ、変換器の二次巻線は、回転ガントリに取り付けられる。変換器は、同心リングの形で静止ガントリ及び回転ガントリ上に配置される。
【０００５】
残念ながら、変換器からの漏れ磁束が、他の変換器に電磁界を誘導することがある。これは、変換器同士の結合をもたらしうる。結果として、第１の変換器は、第２の変換器の巻線に電圧を誘導することがあり、及び／又は第２の変換器は、第１の変換器の巻線に電圧を誘導することがある。更に、変換器にワイヤを取り付けるための従来の技法は、適切に位置合わせされない及び／又は絶縁されない巻線をもたらすことがある。
【０００６】
本出願の見地は、上述した問題及びその他に対処する。
【課題を解決するための手段】
【０００７】
１つの見地によれば、イメージングシステムは、静止ガントリと、長手軸を中心に回転する回転ガントリと、を有する。回転ガントリは、第１のパワーを供給される第１のコンポーネントと、第２のパワーを供給される第２のコンポーネントと、を有し、第１のパワー及び第２のパワーは異なる。非接触パワーチェーンは、静止ガントリから回転ガントリへ第１のパワーを伝達する第１の変換器と、静止ガントリから回転ガントリへ第２のパワーを伝達する第２の変換器と、を有する。第１及び第２の変換器は、長手軸に沿って互いに対し、予め決められた有限の非ゼロの距離シフトされる。
【０００８】
別の実施形態において、イメージングシステムは、静止ガントリと、長手軸を中心に回転する回転ガントリと、静止ガントリから回転ガントリへパワーを伝達する非接触パワーチェーンと、を有する。非接触パワーチェーンの巻線は、非樹脂の担体によって担持される。
【０００９】
別の実施形態において、方法は、イメージングシステムの静止ガントリから回転ガントリへ第１及び第２の異なるパワーを伝達し、イメージングシステムによってオブジェクト又は被検体をスキャンすることを含む。イメージングシステムは、第１及び第２のパワーをそれぞれ伝達する少なくとも２つの変換器を有する。少なくとも２つの変換器は、長手軸に沿って互いに対し、有限の非ゼロの距離シフトされる。
【００１０】
別の実施形態において、方法は、イメージングシステムの静止ガントリから回転ガントリへパワーを伝達し、イメージングシステムによりオブジェクト又は被検体をスキャンすることを含む。イメージングシステムは、パワーを伝達する少なくとも１つの変換器を有する。変換器の少なくとも一方の巻線は、非樹脂の担体によって、その中に支持される。
【００１１】
本発明は、さまざまな構成要素及び構成要素の取り合わせ並びにさまざまなステップ及びステップの取り合わせの形をとりうる。図面は、好適な実施形態を説明する目的のためにのみあり、本発明を制限するものとして解釈されるべきでない。
【図面の簡単な説明】
【００１２】
【図１】イメージングシステム及び非接触パワーチェーンを示す図。
【図２】デュアル変換器の非接触パワーチェーンを示す図。
【図３】Ｎ変換器の非接触パワーチェーンを示す図。
【図４】Ｎ変換器の非接触パワーチェーンを示す図。
【図５】デュアル変換器の非接触パワーチェーンを示す図。
【図６】デュアル変換器の非接触パワーチェーンを示す図。
【図７】変換器用の例示の担体を示す図。
【図８】変換器用の例示の担体を示す図。
【図９】変換器用の例示の担体を示す図。
【図１０】変換器のコアに取り付けられる担体を示す図。
【図１１】例示の方法を示す図。
【図１２】コアの同心リングの例を示す図。
【図１３】例示の方法を示す図。
【図１４】例示の方法を示す図。
【発明を実施するための形態】
【００１３】
図１は、ＣＴスキャナのようなイメージングシステム１００を示している。イメージングシステム１００は、静止ガントリ１０２及び回転ガントリ１０４を有する。回転ガントリ１０４は、ベアリング（不図示）を介して、静止ガントリ１０２によって回転可能に支持される。回転ガントリ１０４は、検査領域１０６に配置される被検体又はオブジェクトをスキャンする際、静止したままであること又は長手軸１０８（ｚ軸）を中心に検査領域１０６の周りを回転することを交互に行なうように構成される。
【００１４】
回転ガントリ１０４は、放射線を放出するＸ線管のような放射線源１１０と、検査領域１０６を横切る放射線を検出して、それを示す信号を生成する放射線感受性検出器アレイ１１２と、を支持する。放射線感受性検出器アレイ１１２は、検査領域１０６を横切って放射線源１１０と反対側に、円弧の角度をなす。図示される回転ガントリ１０４は更に、熱交換器１１４、パワーモジュール１１６及び／又は動作のためのパワーを必要とする１又は複数の他のコンポーネント、並びにパワーを必要としない１又は複数のコンポーネントを支持する。
【００１５】
非接触パワーチェーン１１８は、静止及び回転ガントリ１０２及び１０４に関して配置され、回転ガントリ１０４によって支持されるコンポーネントにパワーを供給するために静止ガントリ１０２から回転ガントリ１０４へパワーを伝達する。後で詳しく述べるように、一実施形態において、パワーチェーン１１８は、横方向の軸１２０（ｘ／ｙ方向）に沿って互いに半径方向にオフセットされ、ｚ軸１０８に沿って互いに対してシフトされる少なくとも２つの変換器を有する。一例において、これは、少なくとも２つの変換器がｚ軸１０８に沿って互いにシフトされない構造よりも、結合（例えば漏れ電流等）を低減することを可能にする。以下に更に詳しく記述されるように、一例において、変換器の巻線は、パッキング装置を使用してパッキングされ、これは、予め決められたアライメント及び絶縁の状態に実質的に巻線を維持することを可能にする。
【００１６】
再構成器１２２は、検出器アレイ１１２によって生成される投影データを再構成し、スキャンされたオブジェクト又は被検体を示すボリュメトリックデータを生成する。画像プロセッサ１２４は、再構成器１２２によって生成されたボリュメトリック画像データを処理し、スキャンされたオブジェクト又は被検体を示す１又は複数の画像を生成する。
【００１７】
汎用コンピューティングシステム１２６は、オペレータコンソールとして機能する。コンピューティングシステム１２６は、ディスプレイ及び／又はプリンタのような人間可読の出力装置、及びキーボード及び／又はマウスのような入力装置を有する。コンピューティングシステム１２６に常駐するソフトウェアは、オペレータが、システム１００の動作を制御することを可能にする。
【００１８】
寝台のような患者支持体１２８は、検査領域１０６における患者を支持する。患者支持体１２８は、らせん、軸方向又は他の所望のスキャニング軌道を容易にするために、回転ガントリ１０４の回転と協働してｚ軸１０８に沿って移動可能である。
【００１９】
図２は、非接触パワーチェーン１１８の例示の実施形態の断面図を示している。図示される非接触パワーチェーン１１８は、少なくとも２つの変換器２０２及び２０４を有する。他の実施形態では、非接触パワーチェーン１１８は、１又は２より多くの変換器を有することができる。この例において、変換器２０２及び２０４は、同様の高さ（Ｈ）及び同様の幅（Ｗ）を有する。他の実施形態において、高さ（Ｈ）及び／又は幅（Ｗ）は異なりうる。更に、変換器２０２及び２０４の形状は、（図示されるように）同様であり又は異なりうる。
【００２０】
変換器２０２又は２０４の一方は、静止ガントリ１０２から回転ガントリ１０４へ第１のパワーを伝達するように構成され、変換器２０２又は２０４の他方は、静止ガントリ１０２から回転ガントリ１０４へ第２の異なるパワーを伝達するように構成される。一例において、第１及び第２のパワーの一方は、放射線源１１０及び／又は他のより高いパワーを必要とするコンポーネントを駆動するために使用され、第１及び第２のパワーの他方は、より低いパワーを必要とするコンポーネントを駆動するために使用される。例示のパワーレンジは、これに限定されないが、より高いパワーを必要とするコンポーネントの場合１００〜２００キロワット（ｋＷ）であり、例えば１５０ｋＷであり、より低いパワーを必要とするコンポーネントの場合１〜１５ｋＷであり、例えば５ｋＷである。
【００２１】
変換器２０２は、静止ガントリ１０２に固定される一次側２０６と、回転ガントリ１０４に固定される二次側２０８と、を有する。一次側２０６及び二次側２０８は、エアギャップ（空気間隙）２１０によって隔てられる。一次側２０６は、一次側コア２１２及び一次巻線２１４を有し、二次側２０８は、二次側コア２１６及び二次巻線２１８を有する。この実施形態において、一次巻線２１４及び二次巻線２１８は、コア２１２及び２１６にそれぞれ位置合わせされるとともに、例えば樹脂、（後述されるような）絶縁パッケージング又は他のやり方のような絶縁体２２０を介して絶縁される。
【００２２】
同様に、変換器２０４は、静止ガントリ１０２に固定される一次側２２２と、回転ガントリ１０４に固定される二次側２２４と、を有する。一次側２２２及び二次側２２４は、エアギャップ２２６によって隔てられる。一次側２２２は、一次側コア２２８及び一次巻線２３０を有し、二次側２２４は、二次側コア２３２及び二次巻線２３４を有する。同様に、一次巻線２３０及び二次巻線２３４は、コア２２８及び２３２にそれぞれ位置合わせされ、絶縁体２３６を介して絶縁される。
【００２３】
変換器２０２及び２０４は、横（ｘ／ｙ）方向１２０に沿って互いに対して、有限距離（Ｄ１）２３８オフセットされて配置される。変換器２０２及び２０４は更に、長手（ｚ）方向１０８に沿って互いに対し、有限距離（Ｄ２）２４０シフトされて配置される。図示される変換器２０２及び２０４は、長手方向１０８に沿ってシフトされ、変換器２０４の一次側２２２のコア２２８の下部２４４は、変換器２０２の一次側２０６及び二次側２０８の間の間隙２１０の中心２４６と実質的に位置合わせされる。同様に、変換器２０２の二次側２０８のコア２１６の下部２４８は、変換器２０４の一次側２２２及び二次側２２４の間の間隙２２６の中心２５０と実質的に位置合わせされる。他の実施形態において、距離（Ｄ２）２４０は、図示される距離より小さく又は大きい。
【００２４】
動作中、変換器２０２及び２０４の漏れフィールド２５２は、互いに磁束を誘導しうる。この誘導された結合は、クロストークをもたらすことがあり、それは、巻線２１４、２１８、２３０及び２３４に誘導される付加の電圧を生じさせうる。一般に、誘導電圧の量は、個々の変換器２０２及び２０４のエアギャップ２１０及び２２６の間の距離に少なくとも依存する。変換器２０２及び２０４を互いに対して図示されたシフト（Ｄ２）２４０をもつように配置することは、変換器２０２及び２０４がオフセットされない構造（例えばＤ２＝０）よりも、エアギャップ２１０及び２２６の間の距離を増大させる。
【００２５】
それゆえ、図示される構造は、変換器２０２及び２０４がシフトされない構造（例えばＤ２＝０）よりも、変換器２０２及び２０４の間のクロストーク及びゆえに誘導電圧（及び磁束）の量を低減することが可能である。更に、変換器２０２及び２０４を、それらのエアギャップ２１０及び２２６がコア２２８及び２１６に重なるように配置することは、コア２２８及び２１６を通る漏れ磁束を短絡することにつながり、これは、結合を更に低減させることができる。更に、そのように変換器２０２及び２０４を配置することは、変換器２０２及び２０４の少なくとも一方がｚ軸１０８に沿って回転される構造よりも、フットプリントを低減することができる。
【００２６】
図３及び図４は、非接触パワーチェーン１１８が変換器２０２、２０４及び３０６のような２より多くの変換器をそれぞれ含む例示の実施形態３００及び４００を示している。他の実施形態は、より多くの又はより少ない変換器を含むことができる。図示されるように、図３では、シフトの方向が、ｚ軸１０８に沿って交互する。図４では、各々の連続する変換器は、ｚ軸１０８に沿って同じ方向にシフトされる。
【００２７】
図５及び図６はそれぞれ、変換器２０２及び２０４の少なくとも一方がｚ軸１０８を中心に旋回されている実施形態５００及び６００を示している。図５では、変換器２０４が、ｚ軸方向１０８に対して角度α５０２だけ旋回されている。図６では、変換器２０４が、距離Ｄ２ ２４０シフトされ、角度α５０２だけ旋回されている。一例において、角度α５０２は、０度乃至１４５度のレンジにあり、例えば９０度である。他の構造もまた、ここで企図される。
【００２８】
別の実施形態において、変換器２０２及び２０４の電流の動作周波数が異なる場合、フィルタが、クロストークを更に低減するために使用されることができる。このようなフィルタは、巻線の端部に又は他のやり方で位置付けられることができる。
【００２９】
図２に関して述べたように、変換器の巻線は、絶縁体２２０、２３６によって、位置合わせされた状態に保たれ、絶縁されることができる。図２において、絶縁体２２０、２３６は樹脂を含む。図７、図８、図９及び図１０において、絶縁体は、変換器のコアに挿入される担体を有する。
【００３０】
図７を最初に参照して、担体７００は、少なくとも１つの開いた側面７０４及び閉じた側面をもつ細長いチャネル７０２を有する。図示されるチャネル７０２は、３つの閉じた側面を含み、巻線を予め位置合わせするのを容易にするために使用されることができる下部の同心の溝によってＵ字型に形成される。チャネル７０２は、その長さに沿って弧状である。図示される実施形態は、１又は複数の部材７０６を通じて結合されるチャネル７０２の２つを含む。他の実施形態において、担体は、より多くの又はより少ないチャネルを有し、他のやり方で形成されることができる。コネクタ７０８及び７１０が、チャネル７０２の両側の端部領域に固定される。図示されるコネクタ７０８及び７１０は、チャネル７０２の長さに沿って延びる材料のない領域に関して閉じた輪郭を有する。
【００３１】
コネクタ７０８及び７１０はそれぞれ、「雌型」及び「雄型」タイプの相補的コネクタである。これは、例えば担体７００のリングを形成するために、２又はより多くの担体７００を結合することを可能にする。互いに接続される場合、雄型／雌型コネクタ７０８及び７１０は部分的に重なり合う。担体７００及びコネクタ７０８及び７１０は、例えばポリマ材料のようなさまざまな絶縁材料から形成されることができる。材料は更に、相対的に高い熱膨張率を有することができる。担体７００の厚さは、ミリング、注入モールディング等を通じて制御されることができる。
【００３２】
図８及び図９を参照して、相補的なバー８０２は弧状をなし、Ｕ字型に形成される。カバー８０２が、担体７００の開口７０４（図７）をカバーする。図１０は、変換器２０２のコア２１２（又は２１６）に取り付けられる担体７００及びカバー８０２を示す。担体７００及びカバー８０２の間の間隔は、巻線、担体７００及び／又はカバー８０２の熱膨張を可能にする。カバー８０２は、担体７００にスナップ留めされ又は他のやり方で結合されることができる。
【００３３】
図１１は、パワーチェーン１１８をシステム１００に固定する方法を示し、図１２は、システム１００に固定されるパワーチェーン１１８の例を示している。方法は、静止ガントリ１０２にパワーチェーン１１８を固定するコンテクストにおいて記述される。しかしながら、方法は更に、回転ガントリ１０４にパワーチェーン１１８を固定することにも適用される。１１０２において、回転軸１２０６に関して第１の外側直径１２０４を有する強磁性コア１２０２の第１のリングが、静止ガントリ１０２に固定される。１１０４において、第２の異なる外側直径１２１０を有する強磁性コア１２０８の第２のリングが、静止ガントリ１０２に固定される。第１及び第２のリング１２０２及び１２０８は、回転軸１２０６を中心に強磁性コアの同心リングを形成する。巻線は、樹脂又はその他を使用して、コアに予め設置されることができる。代替として、ここに記述されるように、巻線は、担体７００（図７）を使用して強磁性コアに取り付けられることができる。相補的なコアが、回転ガントリ１０４に固定される。静止ガントリ１０２及び回転ガントリ１０４上のリングは、一緒にパワーチェーン１１８の変換器を形成し、変換器は、ここに記述されるように、静止ガントリ１０２から回転ガントリ１０４へパワーを伝達するために使用される。
【００３４】
図１３は、システム１００にパワーチェーン１１８を固定する方法を示し、静止ガントリ１０２にパワーチェーン１１８を固定するコンテクストにおいて記述される。同様に、この方法は、回転ガントリ１０４にパワーチェーン１１８を固定することにも適用される。１３０２において、複数の強磁性コアが、コアのリングを形成するために、静止ガントリ１０２に固定される。コアは、糊の類の接着剤のようなファスナ又は他のファスナによって、静止ガントリ１０２にしっかり固定される。１３０４において、担体７００が、コアのリングに取り付けられる。１３０６において、巻線が、担体７００に取り付けられる。これは、コネクタ７０８及び７１０を通じて巻線を組み合わせることによって達成されることができる。巻線は、糊のような接着剤又は他の接着剤によって担体７００に部分的に又は全体的に固定されることができる。１３０８において、カバー８０２が取り付けられ、それにより、予め決められた位置合わせによって担体７００の巻線を固定する。
【００３５】
図１４は方法を示している。１４０２において、パワーが、非接触パワーチェーン１１８を介して、静止ガントリ１０２から回転ガントリ１０４へ伝達される。パワーは、回転ガントリ１０４によって支持される１又は複数のコンポーネントにパワーを供給するために使用される。ここで記述されるように、一実施形態において、非接触パワーチェーン１１８は、ｚ軸１０８に沿って互い対してシフトされる少なくとも２つの変換器を有し、これは、変換器間の磁束の結合を低減することができる。付加的に又は代替として、変換器２０２、２０４、３０６、...の巻線は、絶縁体２２０、２３６によって支持され、絶縁されことができる。絶縁体２２０、２３６は、樹脂、担体７００又は他の支持体でありうる。１４０４において、イメージングシステム１００の検査領域１０６内のオブジェクト又は被検体がスキャンされる。
【００３６】
本発明は、さまざまな実施形態に関してここに記述されている。変形及び変更が、本願明細書の記述を理解することにより当業者に思いつくことが可能である。本発明は、変形及び変更が添付の請求項又はその等価なものの範囲内にある限り、このような変形及び変更をすべて含むものとして解釈されることが意図される。
【図１】
0005615913.tif 000002
【図２】
0005615913.tif 000003
【図３】
0005615913.tif 000004
【図４】
0005615913.tif 000005
【図５】
0005615913.tif 000006
【図６】
0005615913.tif 000007
【図７】
0005615913.tif 000008
【図８】
0005615913.tif 000009
【図９】
0005615913.tif 000010
【図１０】
0005615913.tif 000011
【図１１】
0005615913.tif 000012
【図１２】
0005615913.tif 000013
【図１３】
0005615913.tif 000014
【図１４】
0005615913.tif 000015